(57)【要約】  【課題】  使用者の要望に応じてノック音と静音に切り換え可能にする。  【解決手段】  切換手段７でノック体１のカム斜面１ａが回転子３に当接する直接押動設定に切り換えた後、ノック操作により、ノック体１のカム斜面１ａで中駒２に沿って回転子３を前進させると、回転子３が中駒２から出入して回転する際にノック音が発生し、また切換手段７でノック体１のカム斜面１ａと回転子３との間に隙間Ｓが確保される間接押動設定に切り換えた後、ノック操作により、軸体４を介してノック体１のカム斜面１ａと回転子３が不接触状態に保たれながら中駒２に沿って回転子３を前進させると、回転子３が中駒２から強制的に出入りして回転するため、ノック音が発生しない。  【選択図】      図９
2007083498.tif 000002
【特許請求の範囲】
【請求項１】
ノック体（１）の押圧操作により、中駒（２）に沿って回転子（３）を軸方向へ前進させてから周方向へ回転させて係止し、再度のノック操作により、係止状態を解除して中駒（２）沿いに回転子（３）を軸方向へ後退させるノック式筆記具において、
前記回転子（３）と連動して軸方向へ往復動自在な軸体（４）と、回転子（３）の前進で中駒（２）から外れた位置に配置される固定カム斜面（６ａ）とを設け、ノック操作によりノック体（１）のカム斜面（１ａ）を回転子（３）に当接して直接的に回転子（３）を前進させる直接押動設定と、ノック操作により上記軸体（４）を介してノック体（１）のカム斜面（１ａ）と回転子（３）との間に隙間（Ｓ）を確保しながらノック体（１）が間接的に回転子（３）を前進させる間接押動設定とのどちらか一方に切り換える切換手段（７）を設けたことを特徴とするノック式筆記具。
【請求項２】
上記切換手段（７）が、ノック体（１）に対して周方向へ回転自在に設けたノック切換スイッチ（７ａ）であることを特徴とする請求項１記載のノック式筆記具。
【請求項３】
上記ノック切換スイッチ（７ａ）を回転して、その所定角度領域ではノック体（１）のカム斜面（１ａ）で直接的に回転子（３）を押動し、それ以外の角度領域では軸体（４）でノック体（１）のカム斜面（１ａ）と回転子（３）との隙間（Ｓ）を維持しながらノック体（１）が間接的に回転子（３）を押動することを特徴とする請求項２記載のノック式筆記具。
【請求項４】
上記切換手段（７）が、軸筒（１０）の一部を他部に対して周方向へ回動自在に設けた軸筒切換スイッチ（７ｄ）であり、この軸筒切換スイッチ（７ｄ）を回転して、その所定角度領域ではノック体（１）のカム斜面（１ａ）で直接的に回転子（３）を押動し、それ以外の角度領域では軸体（４）でノック体（１）のカム斜面（１ａ）と回転子（３）との隙間（Ｓ）を維持しながらノック体（１）が間接的に回転子（３）を押動することを特徴とする請求項１記載のノック式筆記具。
【発明の詳細な説明】
【技術分野】
【０００１】
本発明は、例えばボールペンやシャープペンシルなどのようなノック操作により軸筒の先端口から筆記体が出没可能となるノック式筆記具に関する。
詳しくは、ノック体の押圧操作により、中駒に沿って回転子を軸方向へ前進させてから周方向へ回転させて係止し、再度のノック操作により、係止状態を解除して中駒沿いに回転子を軸方向へ後退させるようにしたノック式筆記具に関する。
【背景技術】
【０００２】
従来、この種のノック式筆記具として、軸筒内に、その軸方向へ往復動自在なノック体（操作部）と、これと対向して軸筒の内面側に設けられる中駒と、これらノック体のカム斜面や中駒のカム斜面に係合することで周方向へ回転する回転子と、この回転子を後方へ付勢するリターンスプリングと、回転子と連動する筆記体（リフィール）とを備え、前記ノック体が押圧操作されることにより、回転子の突条を中駒のスライド溝に沿って軸方向へ前進させ、この突条がスライド溝から外れてから、ノック体のカム斜面沿いに滑らせて回転させ、その後のノック戻り時に該回転子の突条を中駒の係止凹部に係合させて係止状態にし、その後、再度ノック操作されることにより、回転子の突条を中駒の係止凹部から外して係止状態を解除し、ノック体のカム斜面沿いに滑らせて回転すると共に、中駒のスライド溝に挿入して軸方向へ後退させるものがある（例えば、特許文献１参照）。
【０００３】
しかし乍ら、このような従来のノック式筆記具によれば、ノック操作によって回転子の突条が中駒のスライド溝から外れた瞬間に回転子全体が開放されてフリー状態となるため、筆記体を前進させるノック操作では、少なくとも回転子の突条が中駒のスライド溝から抜けながら回転する時と、これに続いて回転子の突条が中駒の係止凹部に入る時にノック音が発生する。
また、筆記体を後退させるノック操作では、少なくとも回転子の突条が中駒の係止凹部から抜けながら回転する時と、これに続いて回転子の突条が中駒のスライド溝に入る時にノック音が発生する。
このような所謂ノック音は、使用者自身にとって作動状態（筆記体の出没状態）を確認する意味もあるため、決して不快なものでないが、他人にとっては不快感を感じる恐れがあり、例えば会議のような周囲の雰囲気が静寂な場面では、ノック音が響いて他人に不快感を与えてしまうという問題があった。
【特許文献１】特開２００４−２０９８８１号公報（第６−７頁、図１−２）
【発明の開示】
【発明が解決しようとする課題】
【０００４】
本発明は、上記従来事情に鑑みてなされたもので、その課題とするところは、使用者の要望に応じてノック音と静音に切り換え可能なノック式筆記具を提供することにある。
【課題を解決するための手段】
【０００５】
上記課題を解決するために、第一の発明では、ノック体の押圧操作により、中駒に沿って回転子を軸方向へ前進させてから周方向へ回転させて係止し、再度のノック操作により、係止状態を解除して中駒沿いに回転子を軸方向へ後退させるノック式筆記具において、前記回転子と連動して軸方向へ往復動自在な軸体と、回転子の前進で中駒から外れた位置に配置される固定カム斜面とを設け、ノック操作によりノック体のカム斜面を回転子に当接して直接的に回転子を前進させる直接押動設定と、ノック操作により上記軸体を介してノック体のカム斜面と回転子との間に隙間を確保しながらノック体が間接的に回転子を前進させる間接押動設定とのどちらか一方に切り換える切換手段を設けたことを特徴とする。
また、第二の発明では、上記第一の発明の構成に加えて、上記切換手段が、ノック体に対して周方向へ回転自在に設けたノック切換スイッチであることを特徴とする。
また、第三の発明では、上記第二の発明の構成に加えて、上記ノック切換スイッチを回転して、その所定角度領域ではノック体のカム斜面で直接的に回転子を押動し、それ以外の角度領域では軸体でノック体のカム斜面と回転子との隙間を維持しながらノック体が間接的に回転子を押動することを特徴とする。
また、第四の発明では、上記第一の発明の構成に加えて、上記切換手段が、軸筒の一部を他部に対して周方向へ回動自在に設けた軸筒切換スイッチであり、この軸筒切換スイッチを回転して、その所定角度領域ではノック体のカム斜面で直接的に回転子を押動し、それ以外の角度領域では軸体でノック体のカム斜面と回転子との隙間を維持しながらノック体が間接的に回転子を押動することを特徴とする。
【発明の効果】
【０００６】
本発明は、上記構成により下記の作用効果を奏する。
第一の発明によれば、切換手段でノック体のカム斜面が回転子に当接する直接押動設定に切り換えた後、ノック操作により、ノック体のカム斜面で中駒に沿って回転子を前進させると、回転子が中駒から出入して回転する際にノック音が発生し、また切換手段でノック体のカム斜面と回転子との間に隙間が確保される間接押動設定に切り換えた後、ノック操作により、軸体を介してノック体のカム斜面と回転子が不接触状態に保たれながら中駒に沿って回転子を前進させると、回転子が中駒から強制的に出入りして回転するため、ノック音が発生しない。
従って、使用者の要望に応じてノック音と静音に切り換え可能なノック式筆記具を提供することができる。
よって、使用状況に応じて会議のような静寂な雰囲気ではノック操作を無音化できて、他人に不快感を与えることがなく安心してノック操作できる。
【０００７】
第二の発明によれば、ノック体に対し周方向へ回転自在に設けられたノック切換スイッチを回転することにより、ノック操作でノック体のカム斜面を回転子に当接して直接的に回転子を前進させる直接押動設定か、又は軸体を介してノック体のカム斜面と回転子３との間に隙間を確保しながらノック体が間接的に回転子を前進させる間接押動設定のどちらか一方に切り換えられる。
従って、簡単な操作でノック音と静音に切り換えることができる。
【０００８】
第三の発明によれば、ノック切換スイッチを回転して、その所定角度領域ではノック体のカム斜面で直接的に回転子を押動することにより、回転子が中駒から出入して回転する際にノック音が発生し、またそれ以外の角度領域では軸体でノック体のカム斜面と回転子との隙間を維持しながらノック体が間接的に回転子を押動することにより、回転子が中駒から強制的に出入りして回転するため、ノック音が発生しない。
従って、簡単な構造で切り換え操作することができる。
よって、製造コストの低減化が図れる。
【０００９】
第四の発明によれば、軸筒の一部を他部に対して周方向へ回動自在に設けた軸筒切換スイッチを回転して、その所定角度領域ではノック体のカム斜面で直接的に回転子を押動することにより、回転子が中駒から出入して回転する際にノック音が発生し、またそれ以外の角度領域では軸体でノック体のカム斜面と回転子との隙間を維持しながらノック体が間接的に回転子を押動することにより、回転子が中駒から強制的に出入りして回転するため、ノック音が発生しない。
従って、簡単な構造で切り換え操作することができる。
よって、製造コストの低減化が図れる。
【発明を実施するための最良の形態】
【００１０】
本発明のノック式筆記具Ａは、図１〜図２０に示す如く、ノック機構として、その軸方向へ往復動自在なノック体１と、これと対向して配置される中駒２と、この中駒２と対向して周方向へ回転自在な回転子３と、この回転子３と連動して軸方向へ往復動自在な軸体４と、ノック体１を後方へ付勢するスプリング５と、回転子３と当接して回転誘導するフロントカム６と、ノック操作の作動状態を切り換えるための切換手段７とを備え、これらノック機構と共に筆記体８及びそれを後方へ付勢するリターンスプリング９を、軸筒１０の内部に組み込んでいる。
【００１１】
前記ノック体１は、後端面を閉鎖した略有底筒状に形成され、その前端面に、後述する回転子３の後側カム斜面３ｂと対向するカム斜面１ａを周方向へ山形状に連続形成し、外周面には、後述する中駒２のスライド部２ａと軸方向へ移動自在に係合する回転規制部１ｂを形成している。
【００１２】
前記中駒２は、上記軸筒１０の内面側において、ノック体１の回転規制部１ｂ及び後述する回転子３の係合部３ａを軸方向へ案内するためのスライド部２ａが周方向へ複数形成され、これらスライド部２ａの前端面には、後述する回転子３の後側カム斜面３ｂと対向するカム斜面２ｂを周方向へ山形状に連続形成すると共に、これらカム斜面２ｂの間には、後述する回転子３の後側カム斜面３ｂと嵌り合う係合凹部２ｃを形成する。
【００１３】
前記回転子３は、筒状に形成され、後述する軸体４の軸方向中途位置に装着して軸方向へ往復動自在に配置し、その外周面には、上記中駒２のスライド部２ａと軸方向へ移動自在に係合する係合部３ａを周方向へ複数形成し、これら係合部３ａの前後端面には、上記ノック体１のカム斜面１ａ及び中駒２のカム斜面２ｂと摺接する後側カム斜面３ｂと、後述するフロントカム６の固定カム斜面６ａと摺接する前側カム斜面３ｃが夫々が形成される。
【００１４】
本実施形態の好ましい一例によれば、図４，５，８及び図１４，１６，１９に示す如く、上記ノック体１の回転規制部１ｂ及び回転子３の係合部３ａを凸状にし、これと係合する中駒２のスライド部２ａを凹状にして軸方向へ案内している。
また、他の好ましい実施形態として、これと逆にノック体１の回転規制部１ｂ及び回転子３の係合部３ａを凹状とし、これと係合する中駒２のスライド部２ａを凸状にして軸方向へ案内することも可能である。
【００１５】
更に、上記軸筒１０の後端開口に対して尾栓部１０ａを回転不能に挿着し、この尾栓部１０ａの内周面に、中駒２のスライド部２ａとして、ノック体１の回転規制部１ｂ及び回転子３の係合部３ａが通過可能な深い溝と、回転子３の係合部３ａが通過不能な浅い溝を夫々周方向へ交互に凹設し、この浅い溝の前端面を係合凹部２ｃとすることにより、ノック体１を中駒２内に組み付ける際の組立性を良好にしている。
【００１６】
そして、上記軸体４は、その後端側にノック体１の内径よりも小さくて内部に挿入可能な挿入部４ａを形成し、前端側に上記筆記体８の後端側を着脱自在に保持する挿着部４ｂを形成すると共に、前記軸筒１０に対して周方向へ回転不能に取り付けることにより、これらノック体１と筆記体８との間で軸方向のみへ往復動自在に配置している。
【００１７】
この軸体４の軸方向中途位置には、上記回転子３を回転自在に支持するための凹部４ｃを凹設することで、該回転子３が軸方向へ一体化され、この回転子３又は該軸体４からノック体１又は軸筒１０の後端部に亘って上記リターンスプリング９よりも付勢力の弱いスプリング５を介装することにより、ノック体１を後方へ付勢して、筆記体８の突出時にノック体１がフリー状態となってガタ付き音が発生するのを防止している。
【００１８】
また、前記軸体４の挿入部４ａの後端面には、後述する切換手段７の周突部７ｂ，７ｅと軸方向へ対向して相互に当接するか又は嵌め合う周突部４ｄを周方向へ部分的に突設している。
【００１９】
上記フロントカム６は、円筒状に形成され、前記軸筒１０に対して周方向へ回転不能でしかも軸方向へ移動不能に取り付け、その後端面には、上記回転子３の前側カム斜面３ｃと対向する固定カム斜面６ａを周方向へ山形状に連続形成している。
【００２０】
本実施形態の好ましい一例によれば、前記フロントカム６及び軸体４を、図１，６，７に示す如く、上記軸筒１０の後端開口に挿着された尾栓部１０ａに対して回転不能に配置し、他の好ましい例によれば、図１１，１７，１８に示す如く、該尾栓部１０ａ及び後述する軸筒１０の後軸１０ｄに対して回転不能に配置する。
【００２１】
上記切換手段７は、ノック操作によりノック体１のカム斜面１ａを回転子３の後側カム斜面３ｂに当接して直接的に回転子３全体を中駒２のスライド部２ａに沿って前進させる直接押動設定と、ノック操作により軸体４を介してノック体１のカム斜面１ａと回転子３の後側カム斜面３ｂとの間に隙間Ｓを確保しながらノック体が間接的に回転子３を前進させる間接押動設定とのどちらか一方に切り換えるスイッチである。
以下、本発明の各実施例を図面に基づいて説明する。
【実施例１】
【００２２】
この実施例１は、図１〜図１０に示す如く、前記切換手段７が、ノック体１に対し周方向の所定角度範囲において回動自在でしかも軸方向へ一体的に挿着されたキャップ状のノック切換スイッチ７ａであり、このキャップ状のノック切換スイッチ７ａの前端面に、上記軸体４の後端面に形成された周突部４ｄと対向する周突部７ｂを周方向へ部分的に突設し、該ノック切換スイッチ７ａを周方向へ回転することで、これら周突部４ｄと周突部７ｂとの位置合わせを行い、ノック操作により上述した直接押動設定か又は間接押動設定に切り換えられる場合を示すものである。
【００２３】
これら軸体４の周突部４ｄと切換スイッチ７ａの周突部７ｂは、図２（ａ）（ｂ）及び図３に示す如く、例えば断面扇型に夫々形成されるなど、上述したノック機構の組立状態で、所定角度領域では両者が周方向へ隣り合うと共に、それ以外の角度領域では両者が重なり合うように配置され、切換スイッチ７ａの周突部７ｂを周方向のどちらか一方へ回転操作することにより、周突部４ｄと嵌り合って相互に軸方向へ擦れ違い、これと逆方向へ回転操作することにより、周突部４ｄとの端面同士が当接して軸方向へ連続する。
【００２４】
即ち、ノック切換スイッチ７ａの回転操作により、その周突部７ｂと軸体４の周突部４ｄとの位置関係が図２（ａ）及び図３に示す如く、周方向へ隣り合って位置ズレした時に、ノック体１を押圧操作すると、図９（ａ）に示す如く、周突部７ｂと周突部４ｄが嵌り合って相互に軸方向へ擦れ違い、それによりノック体１のカム斜面１ａが回転子３の係合部３ａに当接することにより、直接的に押動して前進させる直接押動設定となる。
【００２５】
また、ノック切換スイッチ７ａの回転操作により、その周突部７ｂと軸体４の周突部４ｄとの位置関係が図２（ｂ）及び図３に示す如く、周方向へ一致して重なり合った時に、ノック操作すると、図９（ｂ）に示す如く、これら周突部７ｂと周突部４ｄが当接して、軸体４とその凹部４ｃで軸方向へ一体的に支持した回転子３とを押動すると同時に、該周突部７ｂが形成されたノック切換スイッチ７ａでノック体１を押動することにより、該軸体４を介してノック体１のカム斜面１ａと回転子３の後側カム斜面３ｂとの間に隙間Ｓを確保しながらノック体１が間接的に回転子３を前進させる間接押動設定となる。
【００２６】
図示例では、図１〜２及び図８〜９に示す如く、ノック切換スイッチ７ａの外周面とノック体１の外周面に表示７ｃを夫々設け、これら表示７ｃが一致している状態では直接押動設定となり、表示７ｃが一致していない状態では間接押動設定となるように予め設定することにより、目視や感触などで設定状態がどちらであるか容易に解るようにしている。
【００２７】
更に、図示例では、図１に示す如く、本発明のノック式筆記具Ａが、そのノック体１の押圧操作により筆記体８としてリフィールの筆記先端部８ａを、軸筒１０の先端口１０ｂから出没させるノック式ボールペンであり、この軸筒１０が、先端口１０ｂを開設した前軸１０ｃと、その後端に連続する後軸１０ｄとを、その間に弾性把持部（グリップ）１０ｅを挟み込んで螺着接合している。
【００２８】
次に、斯かるノック式筆記具Ａの動作を説明する。
図１に示す軸筒１０の先端口１０ｂから筆記体８の筆記先端部８ａが突出している状態又は没入している状態で、切換手段７としてキャップ状のノック切換スイッチ７ａを周方向へ回転すると、直接押動設定と間接押動設定の切り換えが可能である。
【００２９】
先ず、筆記体８の没入時に、図２（ａ）及び図９（ａ）に示す直接押動設定に切り換えてから、ノック体１を押圧操作すると、ノック体１のカム斜面１ａが回転子３の後側カム斜面３ｂに当接し、直接的に回転子３を押動して前進させる。
【００３０】
このノック体１のカム斜面１ａによる直接的な押動で、図１０（ａ−１）に示すように、回転子３の係合部３ａが中駒２のスライド部２ａに沿って前進し、そのままスライド部２ａから係合部３ａが外れる。
この外れた瞬間に回転子３全体が開放されてフリー状態となる。
【００３１】
それにより、回転子３の後側カム斜面３ｂが、図１０（ａ−２）に示すように、ノック体１のカム斜面１ａ沿いに摺動して回転するため、中駒２のスライド部２ａから回転子３の係合部３ａが抜けてからカム斜面１ａ沿いに摺動してその斜面終端部１ａ′に入り込んで回転が止まるまでの間に、大きなノック音が発生する。
この場合のノック音は、回転子３の後側カム斜面３ｂが、中駒２のスライド部２ａの先端部を弾くこと及び又はカム斜面１ａの凹部１ａ′に突き当たることで、「カチッ」と弾き音が発生すると考えられる。
【００３２】
その後、ノック体１の１回の押圧操作が終了すると、ノック体１と回転子３はスプリング５及びリターンスプリング９の付勢力により後方へ戻されるため、図１０（ａ−３）に示すように、回転子３の後側カム斜面３ｂが中駒２のカム斜面２ｂ沿いに摺動して更に回転し、係合凹部２ｃに当接して係止され、それにより筆記体８の筆記先端部８ａが軸筒１０の先端口１０ｂから突出したまま保持される。
【００３３】
この回転子３の後側カム斜面３ｂが係合凹部２ｃに入る時にも、大きなノック音が発生する。
この場合のノック音は、回転子３の後側カム斜面３ｂが係合凹部２ｃに突き当たることで、「カチッ」と衝突音が発生すると考えられる。
【００３４】
そして、その後の筆記体８を後退させるためのノック操作では、図示せぬが、ノック体１のカム斜面１ａの前進により回転子３の後側カム斜面３ｂが中駒２の係合凹部２ｃから抜けて、ノック体１のカム斜面１ａ沿いに摺動して回転する時にも、フリー状態の回転子３から大きなノック音（弾き音）が発生する。
これに続いて回転子３の係合部３ａが中駒２のスライド部２ａに入る時にも大きなノック音（衝突音）が発生する。
【００３５】
一方、筆記体８の没入時に、図２（ｂ）及び図９（ｂ）に示す間接押動設定に切り換えてから、ノック体１を押圧操作すると、軸体４を介してノック体１のカム斜面１ａと回転子３の後側カム斜面３ｂとの間に隙間Ｓを確保しながらノック体１が間接的に回転子３を押動して前進させる。
【００３６】
このような間接的な押動により、図１０（ｂ−１）に示すように、回転子３の係合部３ａが中駒２のスライド部２ａに沿って前進し、そのままスライド部２ａから係合部３ａを強制的に外す。
この外れた回転子３の後側カム斜面３ｂは、ノック体１のカム斜面１ａと不接触で回転力が作用しないため、ノック音（弾き音）が発生することはない。
【００３７】
これに続いて、図１０（ｂ−２）に示すように、回転子３の前側カム斜面３ｃをフロントカム６の固定カム斜面６ａへ強制的に当接させ、この固定カム斜面６ａ沿いに摺動して回転する。
この際、ノック体１のカム斜面１ａと回転子３の後側カム斜面３ｂとの間には隙間Ｓを確保されるため、回転子３はノック体１のカム斜面１ａと関係なく回転する。
【００３８】
その後、ノック体１の１回の押圧操作が終了すると、ノック体１と回転子３はスプリング５及びリターンスプリング９の付勢力により後方へ戻されるため、図１０（ｂ−３）に示すように、回転子３の後側カム斜面３ｂが中駒２のカム斜面２ｂ沿いに僅かに摺動して更に回転し、係合凹部２ｃに当接して係止する。
この回転子３の後側カム斜面３ｂが係合凹部２ｃに入る時に、ノック音（衝突音）が発生する恐れはあるが、回転子３は軸体４と当接したまま完全なフリー状態とならないため、この際のノック音（衝突音）は極めて小さい。
【００３９】
そして、その後の筆記体８を後退させるためのノック操作では、図示せぬが、ノック体１のカム斜面１ａの前進により、軸体４を介してノック体１のカム斜面１ａと回転子３の後側カム斜面３ｂとの隙間Ｓを維持しながらノック体１が間接的に回転子３を押動して前進させ、回転子３の後側カム斜面３ｂを中駒２の係合凹部２ｃから強制的に抜くと共に、この回転子３の後側カム斜面３ｂは、ノック体１のカム斜面１ａと不接触で回転力が作用しないため、ノック音（弾き音）が発生することはない。
【００４０】
これに続いて、回転子３の前側カム斜面３ｃをフロントカム６の固定カム斜面６ａへ強制的に当接させ、この固定カム斜面６ａ沿いに摺動して回転した後に、リターンスプリング９の付勢力により後方へ戻されて、回転子３の係合部３ａが中駒２のスライド部２ａに入る。
この回転子３の係合部３ａが中駒２のスライド部２ａに入る時に、ノック音（衝突音）が発生する恐れはあるが、回転子３は軸体４と当接したまま完全なフリー状態とならないため、ノック音（衝突音）は極めて小さい。
【００４１】
その結果、簡単な操作により使用者の要望に応じてノック音と静音に切り換えることができ、しかも簡単な構造で切り換え操作することができる。
【実施例２】
【００４２】
この実施例２は、図１１〜図２０に示す如く、前記切換手段７が、軸筒１０の一部を他部に対し周方向の所定角度範囲において回動自在に設けた軸筒切換スイッチ７ｄであり、この軸筒切換スイッチ７ｄと連係して、上記軸体４の後端面に形成された周突部４ｄと対向する周突部７ｅを周方向へ部分的に突設し、該軸筒切換スイッチ７ｄを周方向へ回転することで、これら周突部４ｄと周突部７ｅとの位置合わせを行い、ノック操作により上述した直接押動設定か又は間接押動設定に切り換えられるようにした構成が、前記図１〜図１０に示した実施例１とは異なり、それ以外の構成は図１〜図１０に示した実施例１と同じものである。
【００４３】
この軸筒切換スイッチ７ｄは、その好ましい一例によれば、図１５及び図１９に示す如く、軸筒１０（後軸１０ｄ）の後端開口に対し尾栓部１０ａを周方向の所定角度範囲において回転自在しかも軸方向へ一体的に挿着し、この尾栓部１０ａの内周面に形成された中駒２のスライド部２ａと、これに嵌め合う回転規制部１ｂを介して、該尾栓部１０ａとノック体１とが周方向へ一体化され、このノック体１を有底筒状に形成してその後端内底面に周突部７ｅを周方向へ部分的に突設している。
【００４４】
そして、軸筒切換スイッチ７ｄである尾栓部１０ａを図１５（ａ）に示す如く周方向のどちらか一方へ回転操作することにより、その周突部７ｅと軸体４の周突部４ｄとの位置関係が図１２（ａ）及び図１３に示す如く、周方向へ隣り合って位置ズレした時に、ノック体１を押圧操作すると、図２０（ａ）に示す如く、周突部７ｂと周突部４ｄが嵌り合って相互に軸方向へ擦れ違い、それによりノック体１のカム斜面１ａが回転子３の係合部３ａに当接し直接押動して前進させる直接押動設定となる。
【００４５】
また、軸筒切換スイッチ７ｄである尾栓部１０ａを図１５（ｂ）に示す如く逆方向へ回転操作することにより、その周突部７ｅと軸体４の周突部４ｄとの位置関係が図１２（ｂ）及び図１３に示す如く、周方向へ一致して重なり合った時に、ノック操作すると、図２０（ｂ）に示す如く、両者の当接により軸体４を介してノック体１のカム斜面１ａと回転子３の後側カム斜面３ｂとの間に隙間Ｓを確保しながらノック体１が間接的に回転子３を前進させる間接押動設定となる。
【００４６】
また、その他の好ましい例として、前記尾栓部１０ａ以外の部分を軸筒１０に対し周方向の所定角度範囲において回動自在に設け、これを回転して、その所定角度領域ではノック体１のカム斜面１ａで直接的に回転子３を押動し、それ以外の角度領域では軸体４でノック体１のカム斜面１ａと回転子３との隙間Ｓを維持しながらノック体１が間接的に回転子３を押動するようにしても良い。
【００４７】
従って、図１１〜図２０に示す実施例２も、上述した実施例１と同様に図１０（ａ−１）〜（ｂ−３）に示すような作用効果が得られる。
【００４８】
尚、図示例では、本発明のノック式筆記具Ａがノック式ボールペンである場合を示したが、これに限定されず、ノック操作により筆記体８を軸筒１０の先端口１０ｂから出没できれば、それ以外の例えばシャープペンシルやサインペンなどであっても良い。
更に、この軸筒１０を、前軸１０ｃと後軸１０ｄとの螺着接合により構成したが、本発明は、これに限定されず、軸筒１０を分離不能な一体構造としても良い。
【図面の簡単な説明】
【００４９】
【図１】本発明のノック式筆記具の実施例１を示す縮小半断面図である。
【図２】図１の（２）−（２）線に沿える拡大端面図であり、（ａ）が直接押動設定（ノック音時）を示し、（ｂ）が間接押動設定（静音時）を示している。
【図３】図１の（３）−（３）線に沿える拡大端面図である。
【図４】図１の（４）−（４）線に沿える拡大端面図である。
【図５】図１の（５）−（５）線に沿える部分的な拡大端面図である。
【図６】図１の（６）−（６）線に沿える部分的な拡大端面図である。
【図７】図１の（７）−（７）線に沿える部分的な拡大端面図である。
【図８】内部構造を分解して示す半断面図である。
【図９】動作状態を示す拡大半断面図であり、（ａ）が直接押動設定（ノック音時）を示し、（ｂ）が間接押動設定（静音時）を示している。
【図１０】動作状態を示す展開図であり、（ａ−１）〜（ａ−３）が直接押動設定（ノック音時）を示し、（ｂ−１）〜（ｂ−３）が間接押動設定（静音時）を示している。
【図１１】本発明のノック式筆記具の実施例２を示す縮小半断面図である。
【図１２】図１１の（１２）−（１２）線に沿える拡大端面図であり、（ａ）が直接押動設定（ノック音時）を示し、（ｂ）が間接押動設定（静音時）を示している。
【図１３】図１１の（１３）−（１３）線に沿える拡大端面図である。
【図１４】図１１の（１４）−（１４）線に沿える拡大端面図である。
【図１５】図１１の（１５）−（１５）線に沿える拡大端面図であり、（ａ）が直接押動設定（ノック音時）を示し、（ｂ）が間接押動設定（静音時）を示している。
【図１６】図１１の（１６）−（１６）線に沿える部分的な拡大端面図である。
【図１７】図１１の（１７）−（１７）線に沿える部分的な拡大端面図である。
【図１８】図１１の（１８）−（１８）線に沿える部分的な拡大端面図である。
【図１９】内部構造を分解して示す半断面図である。
【図２０】動作状態を示す拡大半断面図であり、（ａ）が直接押動設定（ノック音時）を示し、（ｂ）が間接押動設定（静音時）を示している。
【符号の説明】
【００５０】
Ａ  ノック式筆記具                    Ｓ  隙間
１  ノック体                          １ａ  カム斜面
２  中駒                              ３  回転子
４  軸体                              ７  切換手段
７ａ  ノック切換スイッチ              ７ｄ  軸筒切換スイッチ
１０  軸筒
【図１】
2007083498.tif 000003
【図２】
2007083498.tif 000004
【図３】
2007083498.tif 000005
【図４】
2007083498.tif 000006
【図５】
2007083498.tif 000007
【図６】
2007083498.tif 000008
【図７】
2007083498.tif 000009
【図８】
2007083498.tif 000010
【図９】
2007083498.tif 000011
【図１０】
2007083498.tif 000012
【図１１】
2007083498.tif 000013
【図１２】
2007083498.tif 000014
【図１３】
2007083498.tif 000015
【図１４】
2007083498.tif 000016
【図１５】
2007083498.tif 000017
【図１６】
2007083498.tif 000018
【図１７】
2007083498.tif 000019
【図１８】
2007083498.tif 000020
【図１９】
2007083498.tif 000021
【図２０】
2007083498.tif 000022